(57)【特許請求の範囲】
【請求項１】
フレームリレー網とＡＴＭ網とを仲介する接続装置において、一方の網形式のデータから輻輳情報を抽出する輻輳情報抽出手段と、抽出された輻輳情報と設定条件との組み合わせにより、出力側の輻輳情報を決定するモードを設定するモード設定手段と、モード設定手段により設定されたモードにしたがって他方の網形式のデータに輻輳情報を書き込む輻輳情報書込手段とからなり、
前記フレームリレー網からＡＴＭ網への順方向への輻輳情報設定において、前記モード設定手段は、輻輳情報が「輻輳あり」を示しているフレームリレーデータを受信したときに、少なくとも、セグメントフレームに対応したＡＴＭセルの輻輳情報に「輻輳なし」を設定する第１のモード、セグメントフレームに対応した全てのＡＴＭセルの輻輳情報に「輻輳あり」を設定する第２のモード、または、セグメントフレームに対応した最後のＡＴＭセルの輻輳情報にのみ「輻輳あり」を設定する第３のモードのいずれかを選択することを特徴とする輻輳情報設定方式。
【請求項２】
ＡＴＭ網からフレームリレー網への順方向への輻輳情報設定において、前記モード設定手段は、「輻輳あり」を示しているＡＴＭセルを受信したときに、少なくとも、当該ＡＴＭセルがセグメントフレームに対応した最後のＡＴＭセルであるときにフレームリレーデータの輻輳情報に「輻輳あり」を設定する第１のモード、または、当該ＡＴＭセルがセグメントフレームに対応したいずれかのＡＴＭセルであるときにフレームリレーデータの輻輳情報に「輻輳あり」を設定する第２のモードのいずれかを選択することを特徴とする請求項１記載の輻輳情報設定方式。
【請求項３】
ＡＴＭ網からフレームリレー網への逆方向の輻輳情報設定において、前記モード設定手段は、逆方向からの輻輳情報をそのままフレームリレーデータの輻輳情報に設定する第１のモード、または、フレームリレーデータの輻輳情報を常に「輻輳なし」に設定する第２のモードのいずれかを選択することを特徴とする請求項１記載の輻輳情報設定方式。
【請求項４】
フレームリレー網からＡＴＭ網への逆方向の輻輳情報設定において、前記モード設定手段は、逆方向で受信されるＡＴＭセルの輻輳情報値によって輻輳状態を遷移させる輻輳遷移手段を備えており、この輻輳遷移手段により遷移された状態と、フレームリレーデータの輻輳情報との組み合わせによって用意された複数のモードの内からいずれかのモードを選択することを特徴とする請求項１記載の輻輳情報設定方式。
【請求項５】
前記輻輳遷移手段は、タイマを備えており、一定時間新しい輻輳情報が到着しなかったときに強制的に輻輳状態を更新することを特徴とする請求項４記載の輻輳情報設定方式。
【発明の詳細な説明】
【０００１】
【発明が属する技術分野】
本発明は、フレームリレー網をＡＴＭ網に接続する伝送サービスにおいて、輻輳情報の伝達を可能にする技術に関する。
【０００２】
【従来の技術】
ＦＲＳ(Frame Relay Service)をＡＴＭ網(Asynchronous Transfer Mode Network)に接続し、インターワーキング(Interworking Function)を実現する伝送サービスがある。
【０００３】
図２はこのインターワーキングサービスを実現するシステム構成を示している。同図において、２０１はＡＴＭ網、２０２はＦＲＳ／ＡＴＭ変換機能部、２０３はノード、２０４はそのノードに接続されたフレームリレー端末である。この中で、ノード２０３およびフレームリレー端末２０４がフレームリレー網２０５を構成している。
【０００４】
このような構成において、ＦＲＳ／ＡＴＭ変換機能部２０２では、フレームリレーフォーマットとＡＴＭセルへの相互の変換を行う。すなわち、フレームリレー→ＡＴＭ方向でのフォーマット変換を示したものが図３である。図３を用いてフレームリレー→ＡＴＭ方向のフォーマット変換手順を説明する。
【０００５】
まず、ＦＲ−ＳＳＣＳレイヤでは、”０”ビット削除後のＱ．９２２−ＤＬＬ−ＰＤＵのアドレスフィールドと情報フィールドを取り出してＦＲ−ＳＳＣＳ−ＰＤＵに変換する。
ＣＰＡＡＬ５では、ＦＲ−ＳＳＣＳ−ＰＤＵをＣＰＡＡＬ５−ＳＤＵとして取り込み、ＣＰＡＡＬ５−ＰＤＵトレイラ部分を付加してＣＰＡＡＬ５−ＰＤＵに変換する。
【０００６】
さらに、このＣＰＡＡＬ５−ＰＤＵを４８オクテット毎に分割してＳＡＲ−ＰＤＵとする。
ＡＴＭレイヤでは、このＳＡＲ−ＰＤＵに対してＰＴＩ等を含むＡＴＭヘッダを付加してＡＴＭセルに変換してＡＴＭ−ＵＮＩに送信する。
【０００７】
一方、ＡＴＭ→フレームリレーへのフォーマット変換はこの逆を行うことになる。
このようなインターワーキング機能を提供する伝送サービスにおいて、輻輳制御は次のように行われていた。
【０００８】
まず、順方向(Forward)でのフレームリレー→ＡＴＭの場合、Ｑ．９２２−ＤＬＬの輻輳情報を示すＦＥＣＮ(Forward Explicit Congestion Notification)は、そのフレームに属するＡＴＭセルのＰＴＩ(Payload Type Identifier)フィールドに格納される輻輳情報を示すＥＦＣＩ(Explicit Forward Congestion Indication)にはマッピングされない。すなわち、ＡＴＭセルのＥＦＣＩは常に「輻輳なし」に設定されてしまう。
【０００９】
次に、順方向でのＡＴＭ→フレームリレーの場合、ＡＴＭ網での輻輳情報を一部しかフレームリレーに活用できない。すなわち、最後に受信したＡＴＭセルで、ＥＦＣＩフィールドが「輻輳あり」に設定されているときのみ当該情報がフレームリレーに反映される。
【００１０】
一方、逆方向(Backward)でのＡＴＭ→フレームリレーの場合、Backward Congestion Indicationは、ＢＥＣＮ(Backward Explicit Congestion Notification)を有するフレームレベルでのみ提供される。ここでＦＲ−ＳＳＣＳ−ＰＤＵのＢＥＣＮフィールドは、Ｑ．９２２コアフレームのＢＥＣＮフィールドに無変更で複写される。
【００１１】
また、逆方向のフレームリレー→ＡＴＭの場合、フレームリレー→ＡＴＭ方向に伝送されるＱ．９２２−ＤＬＬフレームのＢＥＣＮが「輻輳あり」設定されているとき、またはＡＴＭ→フレームリレー方向で受信されている最後のセグメントフレームにおけるＡＴＭセルのＥＦＣＩが「輻輳あり」に設定されているときにはＦＲ−ＳＳＣＳ−ＰＤＵのＢＥＣＮフィールドは「輻輳あり」に設定される。
【００１２】
しかし、この逆方向では、Ｑ．９２２コアフレームでの輻輳情報とＦＲ−ＳＳＣＳでの輻輳情報はＣＰＡＡＬ５またはＡＴＭでのプロトコルフィールドや機能において必ずしも同一ではないため、異種網を複数接続する場合には輻輳情報に歪みが生じることになる。そのため、サービス形態によってはこのような輻輳情報が不要になることもありうるが、この輻輳情報を処理するために網の情報制御部には余分な負荷がかかることになる可能性もあった。
【００１３】
本発明は、このような点に鑑みてなされたものであり、フレームリレーとＡＴＭとのインターワーキングにおいても輻輳情報の伝達を可能にすることにある。
【００１４】
【課題を解決するための手段】
本発明の第１の手段は、フレームリレー網とＡＴＭ網とを仲介する接続装置において、一方の網形式のデータから輻輳情報を抽出する輻輳情報抽出手段と、抽出された輻輳情報を設定条件にしたがって出力側の輻輳情報と組み合わせるモード設定手段と、モード設定手段により設定されたモードにしたがって他方の網形式のデータに輻輳情報を書き込む輻輳情報書込手段とを設けたものである。
【００１５】
モード設定手段を設けたことにより、異種網への輻輳情報の伝達を柔軟に行うことができる。すなわち、一方の網の輻輳情報をそのまま他方の網に伝えたい場合、一方の網の輻輳情報を一定条件のときだけそのまま他方の網に伝えたい場合、または一方の網の輻輳情報を一切他方の網には伝えたくないときのいずれの場合にも柔軟に対応が可能となる。
【００１６】
本発明の第２の手段は、前記第１の手段において、フレームリレー網からＡＴＭ網への順方向への輻輳情報設定において、前記モード設定手段は、輻輳情報が「輻輳あり」を示しているフレームリレーデータを受信したときに、セグメントフレームに対応したＡＴＭセルの輻輳情報に「輻輳あり」を設定する第１のモード、セグメントフレームに対応した全てのＡＴＭセルの輻輳情報のいずれに対しても「輻輳なし」を設定する第２のモード、または、セグメントフレームに対応した最後のＡＴＭセルの輻輳情報にのみ「輻輳あり」を設定する第３のモードのいずれかを選択するようにした。これにより、フレームリレー網からＡＴＭ網への順方向への輻輳情報の伝達が可能になった。
【００１７】
本発明の第３の手段は、前記第１の手段において、ＡＴＭ網からフレームリレー網への順方向への輻輳情報設定において、前記モード設定手段は、「輻輳あり」を示しているＡＴＭセルを受信したときに、少なくとも、当該ＡＴＭセルがセグメントフレームに対応した最後のＡＴＭセルであるときにフレームリレーデータの輻輳情報に「輻輳あり」を設定する第１のモード、または、当該ＡＴＭセルがセグメントフレームに対応したいずれかのＡＴＭセルであるをきにフレームリレーデータの輻輳情報に「輻輳あり」を設定する第２のモードのいずれかを選択するようにした。
【００１８】
これにより、最後のＡＴＭセルの輻輳情報だけを採用することによって（第１モード）、その他のＡＴＭセルの輻輳情報を無視することができ、輻輳情報の処理を効率的に行うことができる。
【００１９】
また、さらに、いずれかのＡＴＭセルによって輻輳情報を伝達する方式（第２モード）を備えておき、伝送される情報の信頼性が高いセルを優先的に処理することができる。
【００２０】
本発明の第４の手段は、前記第１の手段において、ＡＴＭ網からフレームリレー網への逆方向の輻輳情報設定において、前記モード設定手段は、逆方向からの輻輳情報をそのままフレームリレーデータの輻輳情報に設定する第１のモード、または、フレームリレーデータの輻輳情報を常に「輻輳なし」に設定する第２のモードのいずれかを選択するようにした。このように第２のモードを設けたことにより、異種網を接続する場合に歪みが発生した場合、輻輳情報を切り捨てることによって、輻輳情報に左右されずに処理が可能となる。
【００２１】
本発明の第５の手段は、前記第１の手段において、フレームリレー網からＡＴＭ網への逆方向の輻輳情報設定において、前記モード設定手段が、逆方向で受信されるＡＴＭセルの輻輳情報値によって輻輳状態を遷移させる輻輳遷移手段を備えており、この輻輳遷移手段の状態と、フレームリレーデータの輻輳情報との組み合わせによって用意された複数のモードの内からいずれかのモードを選択するようにした。
【００２２】
これにより、受信した輻輳情報とは互換性のないフレームリレーの輻輳情報に設定することができる。
本発明の第６の手段は、前記第５の手段において、前記輻輳遷移手段にタイマを備えさせて、一定時間新しい輻輳情報が到着しなかったときに強制的に輻輳状態を更新するようにした。
【００２３】
これにより、一定時間毎に輻輳情報が更新され、旧い輻輳情報のままモード設定がなされることを防止できる。
【００２４】
【発明の実施の形態】
以下、図面にもとづいて、本発明の実施の形態を説明する。
（ＦＲＳ／ＡＴＭ変換機能部の構成）
図１は、本発明のＦＲＳ／ＡＴＭ変換機能部の構成ブロック図である。
【００２５】
同図において、上半図は、ＡＴＭ→フレームリレー方向のデータ変換を行う。ここで、４０１はＡＴＭセル受信部であり、ＡＴＭ網からのセルを受信するインターフェースである。４０２はデータ展開部であり、ＡＴＭセルのデータが展開され、これがフレームリレーデータに組み立てられる。４０３は、ＡＴＭデータ中からＥＦＣＩを抽出して保持するＥＦＣＩ保持部であり、このＥＦＣＩの値は、データ展開部４０２の展開データからＦＥＣＮ生成部（順方向の場合）によって生成されたＦＥＣＮと比較部４０６で比較されて、輻輳ビット変換部４０７で輻輳ビット変換部４０７を通じてＨＤＬＣ生成部４１２に送られる。なお、比較部４０６はモード設定部４１０を有しており、このモード設定部４１０の設定モードにしたがってＱ．９２２−ＤＬＬフレームのＦＥＣＮを「輻輳あり」または「輻輳なし」に設定する。
【００２６】
このモード設定部については後で詳述する。
アボート生成部４０８では、ＡＴＭセルからのＥＦＣＩにより輻輳ありが認識された場合に、アボート信号を生成する機能を有している。このアボート信号によりＨＤＬＣにおいて送信フレームが削除されるようになっている。
【００２７】
また、ＢＥＣＮ生成部４０５は、逆方向へのＢＥＣＮを生成する機能を有している。セレクタ（ＳＥＬ）はデータ展開部４０２のデータと輻輳ビット変換部４０７の変換結果を選択的にＨＤＬＣ生成部４１２に送出する機能を有している。
【００２８】
バッファ量監視部４１４は、データ展開部４０２のバッファ状態を監視して読出制御部４１３に通知する。読出制御部４１３では、このバッファ量監視部４１４と読出再起動部４１５からの通知によってデータ展開部４０２からの読み出しを制御する。
【００２９】
一方、図１の下半図は、フレームリレー→ＡＴＭ方向のデータ変換を行う。
ＨＤＬＣ受信部４１７は、フレームリレーデータのＨＤＬＣを受信し、データ保持部４１８に引き渡す。データ保持部４１８は、当該データから輻輳情報を抽出し、ＢＥＣＮ生成部４２０およびＦＥＣＮ生成部４２１に送出する。ＢＥＣＮ生成部４２０で生成されたＢＥＣＮは、モード設定部４２６に送られ、このモード設定部４２６で設定されたモードにしたがってＥＦＣＩ情報生成部４２５においてＥＦＣＩが生成され、ＡＴＭセル中に挿入される。
【００３０】
また、セレクタ（ＳＥＬ）４２２は、データ保持部４１８とＢＥＣＮ生成部４２０との出力を選択的にＳＡＲ−ＰＤＵ生成部に出力する。そして、最終的にこのように輻輳情報が設定されたＡＴＭセルがＡＴＭセル送信部４２４からＡＴＭ網に送信される。
【００３１】
次に、本実施形態で用いられるフレームリレーからＡＴＭセルまでの各レイヤ（図３参照）のフレーム構成について詳細に説明する。
（Ｑ．９２２−ＤＬＬ−ＰＤＵの構成）
Ｑ．９２２−ＤＬＬ−ＰＤＵは、図５に示すように、ＦＬＡＧフィールド以外では「０」ビット挿入(Bit Stuffing)されている。そこで、受信時にはＦＬＡＧ検出後、そこから５オクテット連続した「１」の直後にある「０」を抜き出してフレームリレーにフォーマットする。アドレスフィールドは、後述のＦＲ−ＳＳＣＳ−ＰＤＵフォーマットのヘッダフォーマットと同様に、２，３，４オクテットの３種類がある。
【００３２】
図５は、「０」ビット削除後の構成である。また、アドレスフィールドは２オクテットである。
同図中、ＦＥＣＮは順方向、ＢＥＣＮは逆方向への輻輳情報が格納される。
（ＦＲ−ＳＳＣＳ−ＰＤＵの構成）
ＦＲ−ＳＳＣＳ−ＰＤＵフォーマットは図６に示すように、フラグと、「０」ビット挿入部分と、ＦＣＳとを除いたＱ．９２２−ＤＬＬ−ＰＤＵフォーマットと同じである。
（ＣＰＡＡＬ５−ＰＤＵの構成）
図７は、ＣＰＡＡＬ５−ＰＤＵのフォーマットを示している。ＣＰＡＡＬ５では、可変長フレーム（１〜６５５３５オクテット長）伝送を行う。そのため、ＣＰＡＡＬ５−ＰＤＵでは、ＡＴＭセルの整数倍にするためのパッド（ＰＡＤ）、フレーム部分の抜き出し、ＣＲＣ−３２では検出されないようなエラー検出用のレングスフィールド等が設けられている。
【００３３】
ＣＰＡＡＬ５−ＰＤＵの各フィールドの内容を示したものが図８である。
（ＡＴＭセルの構成）
図９は、ＡＴＭセルのフォーマットを示している。同図において、ＰＴＩ(Payload Type Identifier)にＥＦＣＩ情報として伝送される輻輳情報が格納される。このＰＴＩは３オクテットで構成され、「０００」または「００１」が「輻輳なし」を、「０１０」または「０１１」が「輻輳あり」を意味している。
次に、順方向(Forward)および逆方向(Backward)の輻輳情報について図１０〜１３を用いて説明する。
【００３４】
ここで、輻輳情報の伝送方向に対して、上流における輻輳状況の表示を順方向(Forward)、下流における輻輳状況の表示を逆方向(Backward)と定義する。
ここで、使用されるＦＥＣＩ、ＦＥＣＮおよびＢＥＣＮ情報では、実際の輻輳地点の特定は困難であるが、輻輳の存在する方向を明らかにすることができる。
【００３５】
図１０は、フレームリレー網→ＡＴＭ網における順方向(Forward)を示したものであり、上流、すなわちフレームリレー網２０５側での輻輳の有無がＱ．９２２コアフレームのＦＥＣＮとして伝えられ、これがＦＲＳ／ＡＴＭ変換機能部（ＩＷＦ）２０２でＦＲ−ＳＳＣＳのＦＥＣＮ（図６参照）に変換され、（各モードに従い）ＡＴＭセルのＰＴＩ（図９参照）に格納されるＥＦＣＩに格納される。これによってＡＴＭ網２０１では上流側（フレームリレー網）での輻輳の有無が認識できる。
【００３６】
図１１は、フレームリレー網→ＡＴＭ網における逆方向(Backward)を示したものであり、上流側（フレームリレー網）からの逆方向（Backward)での輻輳を示すＱ．９２２ＢＥＣＮをとりこみ、下流方向（ＡＴＭ網側）から到着するＡＴＭセルのＥＦＣＩを読み込むことによって、（各モードに従い）これがＦＲ−ＳＳＣＳのＢＥＣＮに反映され、下流側（ＡＴＭ網側）の輻輳情報が伝達できるようになっている。
【００３７】
図１２は、ＡＴＭ網→フレームリレー網における順方向(Forward)を示したものであり、上流、すなわちＡＴＭ網２０１側での輻輳の有無がＡＴＭセルのＰＴＩに格納されたＥＦＣＩとして伝えられ、これがＦＲＳ／ＡＴＭ変換機能部（ＩＷＦ）２０２で元々のＦＲ−ＳＳＣＳのＦＥＣＮの輻輳情報とあわせて、（各モードに従い）ＦＲ−ＳＳＣＳのＦＥＣＮに変換され、さらにこれがＱ．９２２コアフレームのＦＥＣＮとしてフレームリレー網２０５側に伝えられる。これによって、フレームリレー網（２０５）では、上流側（ＡＴＭ網側）の輻輳の有無が認識できる。
【００３８】
図１３は、ＡＴＭ網→フレームリレー網における逆方向(Backward)を示したものであり、ＦＲＳ／ＡＴＭ変換機能部（ＩＷＦ）２０２では下流方向（フレームリレー網側）から到着するＦＲ−ＳＳＣＳのＢＥＣＮを読み込み、（各モードに従い）これをＱ．９２２コアフレームのＢＥＣＮに変換することで下流側（フレームリレー網側）の輻輳情報を伝達できるようになっている。
【００３９】
本実施形態では、図１で説明したモード設定部４１０および４２６において、上記フレームリレー網→ＡＴＭ網、ＡＴＭ網→フレームリレー網のグループと、順方向、逆方向のグループの組み合わせ毎に輻輳情報をどのように別の網に伝達するかについていくつかのモードをそれぞれ用意している。
【００４０】
図１４〜図１７は、各方向におけるモード設定の種類を示したものである。
（フレームリレー網→ＡＴＭ網：順方向のモード設定）
図１４は、フレームリレー網→ＡＴＭ網における順方向の制御手順を示したフロー図である。
【００４１】
同図において、ＦＲＳ／ＡＴＭ変換機能部（ＩＷＦ）２０２がＱ．９２２コアフレームを受信したときに、ＦＥＣＮの値が「０」であったとき（ステップ１４０１）、すなわち上流側（フレームリレー網側）に輻輳が生じていないときには、ＦＲ−ＳＳＣＳのＦＥＣＮに「０」を設定するとともに、ＡＴＭセルのＥＦＣＩにも「０」を設定する（１４０２）。
【００４２】
一方、前記ステップ１４０１において、Ｑ．９２２コアフレームのＦＥＣＮが「０」でなかった場合には、３つのモードの選択が可能となっている。
第１モード（１４０４）は、従来技術と同様のモードであり、Ｑ．９２２コアフレームのＦＥＣＮフィールドをそのままＦＲ−ＳＳＣＳのＦＥＣＮフィールドに無条件に複写する。しかし、この値はＡＴＭセルには反映されない。したがって、この第１モードでは、ＦＲ−ＳＳＣＳのＦＥＣＮは「１」に設定され、ＡＴＭセルのＥＦＣＩは「０」に設定される。
【００４３】
第２モード（１４０５）は、本実施形態特有のモードであり、Ｑ．９２２コアフレームのＦＥＣＮをそのフレームに属する（そのフレームから変換された）全てのＡＴＭセルのＥＦＣＩにマッピングするモードである。このモードを使用することにより、Ｑ．９２２コアフレームの輻輳情報がそのまま全てのＡＴＭセルに反映されることになる。
【００４４】
第３モード（１４０６）も本実施形態特有のモードであり、Ｑ．９２２コアフレームのＦＥＣＮをそのフレームに属する（そのフレームから変換された）最後のＡＴＭセルのＥＦＣＩにのみマッピングするモードである。このモードを使用することにより、輻輳情報は最後のＡＴＭセルだけで行えばよく、煩雑な輻輳情報の処理により伝送処理が遅延することを防止できる。
【００４５】
このモード分けの内容を示したものが図１８であり、各モードにおけるＦＲ−ＳＳＣＳのＦＥＣＮとＡＴＭセルのＥＦＣＩの設定状態を示したものが図１９である。
（ＡＴＭ網→フレームリレー網：順方向のモード設定）
図１５は、ＡＴＭ網→フレームリレー網における順方向の制御手順を示したフロー図である。
【００４６】
同図において、ＦＲＳ／ＡＴＭ変換機能部（ＩＷＦ）２０２で受信したＡＴＭセルのＥＦＣＩに「０」が設定されていたときには（１５０１）、ＦＲ−ＳＳＣＳのＦＥＣＮも「０」であるか否かを判断し（１５０２）、両値が「０」である場合には、Ｑ．９２２コアフレームのＦＥＣＮにも「０」を設定する（１５０３）。
【００４７】
一方、ＦＲ−ＳＳＣＳのＦＥＣＮだけ「１」の場合、Ｑ．９２２ＣｏｒｅＦＥＣＮに「１」を設定する。（１５０７）。
また、ＡＴＭセルのＥＦＣＩの値が「０」以外であった場合には、２つのモードが選択可能となっている（１５０４）。
【００４８】
第１モード（１５０５）は、Ｑ．９２２コアフレームに対応する最後のＡＴＭセルのＥＦＣＩが「１」であるか否かを判定し（１５０５）、これが「１」であった場合にはＱ．９２２コアフレームのＦＥＣＮにも「１」を設定する（１５０７）。また、最後のＡＴＭセルのＥＦＣＩが「１」でなかった場合にはＱ．９２２コアフレームのＦＥＣＮには「０」を設定する（１５０３）。
【００４９】
第２モード（１５０６）は、本実施形態特有のモードであり、受信されるセグメントフレームに属するいずれかのＡＴＭセルでＥＦＣＩフィールドが「１」に設定されている場合には、Ｑ．９２２コアフレームのＦＥＣＮに「１」を設定する。また、いずれのＡＴＭセルのＥＦＣＩも「０」の場合には、Ｑ．９２２コアフレームのＦＥＣＮは「０」に設定される（１５０３）。このモードによりいずれかのＡＴＭセルでの輻輳ありの情報がフレームリレー網側に反映されることになる。
【００５０】
このモード分けの内容を示したものが図２０であり、各モードにおけるＱ．９２２コアフレームのＦＥＣＮの設定値を示したものが図２１である。
（ＡＴＭ網→フレームリレー網：逆方向のモード設定）
図１６は、ＡＴＭ網→フレームリレー網における逆方向の制御手順を示したフロー図である。
【００５１】
同図において、ＦＲＳ／ＡＴＭ変換機能部（ＩＷＦ）２０２で受信したＦＲ−ＳＳＣＳのＢＥＣＮの値を判定し（１６０１）、これが「０」である場合には、Ｑ．９２２コアフレームのＢＥＣＮにも「０」を設定する（１６０２）。
【００５２】
また、ＦＲ−ＳＳＣＳのＢＥＣＮ値が「０」でない場合には、２つのモードが選択可能となっている（１６０３）。
第１モード（１６０４）は、ＦＲ−ＳＳＣＳのＢＥＣＮフィールドの値をそのままＱ．９２２コアフレームに無条件で複写するモードである。
【００５３】
第２モード（１６０２）は、Ｑ．９２２コアフレームのＢＥＣＮ値を常に「０」に設定するモードである。このモードにより、逆方向での輻輳情報を無視することができる。これは、サービス形態によって輻輳情報が不要な場合に有効である。
【００５４】
このモード分けの内容を示したものが図２２であり、各モードにおけるＱ．９２２コアフレームのＢＥＣＮの設定値を示したものが図２３である。
（フレームリレー網→ＡＴＭ網：逆方向のモード設定）
図１７は、フレームリレー網→ＡＴＭ網における逆方向の制御手順を示したフロー図である。ここでは、図４に示したＶＣＣ輻輳状態遷移図にしたがって、「ＶＣＣ輻輳あり」または「ＶＣＣ輻輳なし」の状態遷移はタイマによる保護期間を設けて判定している。このＶＣＣの状態監視は図１におけるＶＣＣ状態監視部４１６によって行われる。図４において、まず初期設定として「ＶＣＣ輻輳なし」が設定される（２６０１）、そして、ＥＦＣＩ＝１を受信すると（２６０６）タイマＴが計数を開始する（２６０３）。そしてこのタイマＴにより計数の開始とともに「ＶＣＣ輻輳あり」の状態に遷移する（２６０４）。そして、タイムアウトになるまでにＥＦＣＩ＝０を受信するか、またはタイムアウトになると（２６０５，２６０６）再び「ＶＣＣ輻輳なし」の状態に遷移する。
そして、次に説明するモード１または３では、最後のＡＴＭセルのＥＦＣＩ＝１を契機として遷移し、モード２または４では、いずれか一つのＡＴＭセルのＥＦＣＩ＝１を契機として遷移するようになっている。
【００５５】
図４で説明した状態遷移にもとづいて、ＶＣＣの輻輳ありが判定されたときには（１７０１）、ＦＲ−ＳＳＣＳのＢＥＣＮを「Ｏ」に設定する（１７０２）。一方、ＶＣＣの輻輳がなく、かつＢＥＣＮが「０」に設定されているＱ．９２２コアフレームを受信したときにもＦＲ−ＳＳＣＳのＢＥＣＮを「Ｏ」に設定する（１７０２）。
【００５６】
また、受信したＱ．９２コアフレームのＢＥＣＮ値が「０」以外である場合には、モード１〜４が設定可能である。
第１モードは、bi-directional接続用のＡＴＭ網→フレームリレー網方向で受信される「最後」のセグメントフレームにおけるＡＴＭセルのＥＦＣＩ値がＶＣＣ輻輳遷移に用いられており、かつＶＣＣの輻輳状態が「輻輳あり」に設定されているときであり、この場合にはＦＲ−ＳＳＣＳのＢＥＣＮ値に「１」が設定される。
【００５７】
第２モードは、フレームリレー網→ＡＴＭ網方向に伝送されるＱ．９２２コアフレームのＢＥＣＮが設定されているとき、またはbi-directional接続用のＡＴＭ網→フレームリレー網方向で受信される「いずれか」のセグメントフレームにおけるＡＴＭセルのＥＦＣＩ値がＶＣＣ輻輳遷移に用いられており、かつＶＣＣの輻輳状態が「輻輳あり」に設定されているときであり、この場合にはＦＲ−ＳＳＣＳのＢＥＣＮ値に「１」が設定される。
【００５８】
第３モードは、受信されるＱ．９２２コアフレームのＢＥＣＮ値については無視する。そして、bi-directional接続用のＡＴＭ網→フレームリレー網方向で受信される「最後」のセグメントフレームにおけるＡＴＭセルのＥＦＣＩ値がＶＣＣ輻輳遷移に用いられており、かつＶＣＣの輻輳状態が「輻輳あり」に設定されているときであり、この場合にはＦＲ−ＳＳＣＳのＢＥＣＮ値に「１」が設定される。
【００５９】
第４モードも、受信されるＱ．９２２コアフレームのＢＥＣＮ値については無視する。そして、bi-directional接続用のＡＴＭ網→フレームリレー網方向で受信される「いずれか」のセグメントフレームにおけるＡＴＭセルのＥＦＣＩ値がＶＣＣ輻輳遷移に用いられており、かつＶＣＣの輻輳状態が「輻輳あり」に設定されているときであり、この場合にはＦＲ−ＳＳＣＳのＢＥＣＮ値に「１」が設定される。
【００６０】
したがって、ここではＦＲ−ＳＳＣＳでの輻輳情報とＱ．９２２コアフレームでの輻輳情報の相互の互換性を持たせないようなモード３および４を追加することによって、柔軟な輻輳情報の伝達方式を選択できる。
【００６１】
このモード分けの内容を示したものが図２４であり、各モードにおけるＦＲ−ＳＳＣＳのＢＥＣＮの設定値を示したものが図２５である。
【００６２】
【発明の効果】
本発明によれば、ＡＴＭ網とフレームリレー網とを仲介するインターワーキングにおいて、輻輳情報の伝達を柔軟に行うことができる。
【図面の簡単な説明】
【図１】  本発明の実施形態におけるＦＲＳ／ＡＴＭ変換機能部の構成ブロック図
【図２】  実施形態におけるインターワーキングサービスを実現するシステム構成を示すブロック図
【図３】  フレームリレーフォーマットからＡＴＭセルフォーマットにおける各レイヤのフォーマット図
【図４】  実施形態におけるＶＣＣ状態遷移を示すフロー図
【図５】  Ｑ．９２２−ＤＬＬ−ＰＤＵのフォーマット図
【図６】  ＦＲ−ＳＳＣＳ−ＰＤＵのフォーマット図
【図７】  ＣＰＡＡＬ５−ＰＤＵのフォーマット図
【図８】  ＣＰＡＡＬ５−ＰＤＵの各フィールドの内容を示す説明図
【図９】  ＡＴＭセルのフォーマット図
【図１０】  フレームリレー網→ＡＴＭ網における順方向(Forward)を説明するための図
【図１１】  フレームリレー網→ＡＴＭ網における逆方向(Backward)を説明するための図
【図１２】  ＡＴＭ網→フレームリレー網における順方向(Forward)を説明するための図
【図１３】  ＡＴＭ網→フレームリレー網における逆方向(Backward)を説明するための図
【図１４】  フレームリレー網→ＡＴＭ網における順方向(Forward)のモード設定方法を示すフロー図
【図１５】  ＡＴＭ網→フレームリレー網における順方向(Forward)のモード設定方法を示すフロー図
【図１６】  ＡＴＭ網→フレームリレー網における逆方向(Backward)のモード設定方法を示すフロー図
【図１７】  フレームリレー網→ＡＴＭ網におけるの逆方向(Backward)のモード設定方法を示すフロー図
【図１８】  フレームリレー網→ＡＴＭ網における順方向(Forward)のモード設定の種類を示す説明図
【図１９】  フレームリレー網→ＡＴＭ網における順方向(Forward)のモード設定結果にもとづいた設定値を示す説明図
【図２０】  ＡＴＭ網→フレームリレー網における順方向(Forward)のモード設定の種類を示す説明図
【図２１】  ＡＴＭ網→フレームリレー網における順方向(Forward)のモード設定結果にもとづいた設定値を示す説明図
【図２２】  ＡＴＭ網→フレームリレー網における逆方向(Backward)のモード設定の種類を示す説明図
【図２３】  ＡＴＭ網→フレームリレー網における逆方向(Backward)のモード設定結果にもとづいた設定値を示す説明図
【図２４】  フレームリレー網→ＡＴＭ網におけるの逆方向(Backward)のモード設定の種類を示す説明図
【図２５】  フレームリレー網→ＡＴＭ網におけるの逆方向(Backward)のモード設定結果にもとづいた設定値を示す説明図
【符号の説明】
２０１  ＡＴＭ網
２０２  ＦＲＳ／ＡＴＭ変換機能部
２０３  ノード
２０４  フレームリレー端末
２０５  フレームリレー網
４０１  ＡＴＭセル受信部
４０２  データ展開部
４０３  ＥＦＣＩ保持部
４０４  ＦＥＣＮ生成部
４０５  ＢＥＣＮ生成部
４０６  比較部
４０７  輻輳ビット変換部
４０８  アボート生成部
４１０  モード設定部
４１１  セレクタ（ＳＥＬ）
４１２  ＨＤＬＣ生成部
４１３  読出制御部
４１４  バッファ量監視部
４１５  読出再起動部
４１６  ＶＣＣ状態監視部
４１７  ＨＤＬＣ受信部
４１８  データ保持部
４２０  ＢＥＣＮ生成部
４２１  ＦＥＣＮ生成部
４２２  セレクタ（ＳＥＬ）
４２３  ＳＡＲ−ＰＤＵ生成部
４２４  ＡＴＭセル送信部
４２５  ＥＦＣＩ情報生成部
４２６  モード設定部
【図１】
0003683105.tif 000002
【図２】
0003683105.tif 000003
【図３】
0003683105.tif 000004
【図４】
0003683105.tif 000005
【図５】
0003683105.tif 000006
【図６】
0003683105.tif 000007
【図７】
0003683105.tif 000008
【図８】
0003683105.tif 000009
【図９】
0003683105.tif 000010
【図１０】
0003683105.tif 000011
【図１１】
0003683105.tif 000012
【図１２】
0003683105.tif 000013
【図１３】
0003683105.tif 000014
【図１４】
0003683105.tif 000015
【図１５】
0003683105.tif 000016
【図１６】
0003683105.tif 000017
【図１７】
0003683105.tif 000018
【図１８】
0003683105.tif 000019
【図１９】
0003683105.tif 000020
【図２０】
0003683105.tif 000021
【図２１】
0003683105.tif 000022
【図２２】
0003683105.tif 000023
【図２３】
0003683105.tif 000024
【図２４】
0003683105.tif 000025
【図２５】
0003683105.tif 000026